【手続補正書】
【提出日】平成20年1月17日(2008.1.17)
【手続補正１】
【補正対象書類名】特許請求の範囲
【補正対象項目名】全文
【補正方法】変更
【補正の内容】
【特許請求の範囲】
【請求項１】
第1の端子と第2の端子を含む第1のコンデンサと、同じく第1の端子と第2の端子を含む第2のコンデンサと、前記第1のコンデンサの第1の端子と前記第2のコンデンサの第1の端子とを接続するコモンノードと、切換装置と、第1のインダクタと、を含み、前記切換装置と前記第1のインダクタは前記第1のコンデンサの第2の端子と前記第2のコンデンサの第2の端子との間に直列に接続される、複数の電気部品からなる電気回路ループと、
前記第1のコンデンサの第2の端子に接続された第1の出力端子と、前記第2のコンデンサの第2の端子に接続された第2の出力端子と、を含む制御された電圧源と、を含み、
前記制御された電圧源は、第1の充電サイクル中に、前記第1の出力端子を第1の電圧とするとともに前記第2のコンデンサの第2の端子と前記第2の出力端子との接続を解除し、
前記切換装置は、前記第1の充電サイクルに続く第1の放電サイクル中に、前記第1のインダクタを介して、前記第1のコンデンサの第2の端子から前記第2のコンデンサの第2の端子への第1の電気経路を形成し、これにより電流の第1の流れを形成し、
前記制御された電圧源は、前記第1の放電サイクルに続く第2の充電サイクル中に、前記第2の出力端子を第2の電圧とするとともに前記第１のコンデンサの第2の端子と前記第１の出力端子との接続を解除し、
前記切換装置は、前記第2の充電サイクルに続く第2の放電サイクル中に、前記第１のインダクタを介して、前記第2のコンデンサの第2の端子から前記第１のコンデンサの第2の端子への第2の電気経路を形成し、これにより電流の第2の流れを形成する、直列共鳴コンデンサ放電システム。
【請求項２】
モーター軸をさらに含み、前記電流の第1の流れは前記第1のインダクタ周辺に第1の磁界を生成し、前記モーター軸は前記第1の磁界と相互作用して前記モーター軸の回転運動を生成する、請求項1に記載の直列共鳴コンデンサ放電システム。
【請求項３】
前記第1のインダクタは電気モーター相巻線である、請求項2に記載の直列共鳴コンデンサ放電システム。
【請求項４】
前記第１のコンデンサの第2の端子と前記第2のコンデンサの第2の端子とに接続されたコンデンサドレン回路をさらに含み、前記コンデンサドレン回路は、前記第１の充電サイクル中に前記第2のコンデンサの第2の端子から第１の残留電荷を除去し、前記第2の充電サイクル中に前記第１のコンデンサの第2の端子から第2の残留電荷を除去する、請求項2に記載の直列共鳴コンデンサ放電システム。
【請求項５】
軸位置センサと；
スイッチ制御回路と；および、
前記モーター軸に搭載される磁性材料と；
をさらに含み；これによって、
前記軸位置センサは前記モーター軸の前記回転運動に対応する前記磁性材料の動きを検出し、前記軸位置センサは前記スイッチ制御回路に信号を送信し、前記スイッチ制御回路は前記制御された電圧源を制御する、請求項2に記載の直列共鳴コンデンサ放電システム。
【請求項６】
軸位置センサと；
スイッチ制御回路と；および、
前記モーター軸に搭載される磁性材料と；
をさらに含み；これによって、
前記軸位置センサは前記モーター軸の前記回転運動に対応する前記磁性材料の動きを検出し、前記軸位置センサは前記スイッチ制御回路に信号を送信し、前記スイッチ制御回路は前記制御された電圧源と前記コンデンサドレン回路とを制御する、請求項4に記載の直列共鳴コンデンサ放電システム。
【請求項７】
前記切換装置は機械的スイッチである、請求項2に記載の直列共鳴コンデンサ放電システム。
【請求項８】
前記モーター軸はモーター軸ギアを含み、前記機械的スイッチはスイッチギアを含み、前記スイッチギアは前記回転運動中に前記モーター軸ギアにより駆動されて前記機械的スイッチの回転運動を生成する、請求項7に記載の直列共鳴コンデンサ放電システム。
【請求項９】
前記切換装置がソリッドステートの切換装置である、請求項5に記載の直列共鳴コンデンサ放電システム。
【請求項１０】
前記ソリッドステートの切換装置は、シリコン制御された整流装置を含む、請求項9に記載の直列共鳴コンデンサ放電システム。
【請求項１１】
第1の端子と第2の端子を含む第1のコンデンサと、同じく第1の端子と第2の端子を含む第2のコンデンサと、前記第1のコンデンサの第1の端子と前記第2のコンデンサの第1の端子とを接続するコモンノードと、第1の切換装置と、第2の切換装置と、第1のインダクタと、第2のインダクタと、を含み、前記第1の切換装置と第1のインダクタは、前記第1のコンデンサの第2の端子と前記第2のコンデンサの第2の端子との間に直列に接続され、前記第2の切換装置と前記第2のインダクタは前記第1のコンデンサの第2の端子と前記第2のコンデンサの第2の端子との間に直列に接続される、複数の電気部品からなる電気回路ループと、
前記第1のコンデンサの第2の端子に接続された第1の出力端子と、前記第2のコンデンサの第2の端子に接続された第2の出力端子と、を含む制御された電圧源と、を含み、
前記制御された電圧源は、第1の充電サイクル中に、前記第1の出力端子を第1の電圧とするとともに前記第2のコンデンサの第2の端子と前記第2の出力端子との接続を解除し、
前記第1の切換装置は、前記第1の充電サイクルに続く第1の放電サイクル中に、前記第1のインダクタを介して、前記第1のコンデンサの第2の端子から前記第2のコンデンサの第2の端子への第1の電気経路を形成し、これにより電流の第1の流れを形成し、
前記制御された電圧源は、前記第1の放電サイクルに続く第2の充電サイクル中に、前記第2の出力端子を第2の電圧とするとともに前記第１のコンデンサの第2の端子と前記第１の出力端子との接続を解除し、
前記第2の切換装置は、前記第2の充電サイクルに続く第2の放電サイクル中に、前記第2のインダクタを介して、前記第2のコンデンサの第2の端子から前記第１のコンデンサの第2の端子への第2の電気経路を形成し、これにより電流の第2の流れを形成する、直列共鳴コンデンサ放電システム。
【請求項１２】
モーター軸をさらに含み、前記電流の第1の流れは前記第1のインダクタ周辺に第1の磁界を生成し、前記モーター軸は前記第1の磁界と相互作用して前記モーター軸の回転運動を生成する、請求項11に記載の直列共鳴コンデンサ放電システム。
【請求項１３】
前記第1のインダクタは電気モーター相巻線である、請求項12に記載の直列共鳴コンデンサ放電システム。
【請求項１４】
前記第1のコンデンサの第2の端子と前記第2のコンデンサの第2の端子とに接続されたコンデンサドレン回路をさらに含み、前記コンデンサドレン回路は、前記第1の充電サイクル中に前記第2のコンデンサの第2の端子から第１の残留電荷を除去し、前記第2の充電サイクル中に前記第１のコンデンサの第2の端子から第2の残留電荷を除去する、請求項12に記載の直列共鳴コンデンサ放電システム。
【請求項１５】
軸位置センサと；
スイッチ制御回路と；および、
前記モーター軸に搭載される磁性材料と；
をさらに含み；これによって、
前記軸位置センサは前記モーター軸の前記回転運動に対応する前記磁性材料の動きを検出し、前記軸位置センサは前記スイッチ制御回路に信号を送信し、前記スイッチ制御回路は前記制御された電圧源を制御する、請求項12に記載の直列共鳴コンデンサ放電システム。
【請求項１６】
軸位置センサと；
スイッチ制御回路と；および、
前記モーター軸に搭載される磁性材料と；
をさらに含み；これによって、
前記軸位置センサは前記モーター軸の前記回転運動に対応する前記磁性材料の動きを検出し、前記軸位置センサは前記スイッチ制御回路へ信号を送信し、前記スイッチ制御回路は前記制御された電圧源と前記コンデンサドレン回路とを制御する、請求項14に記載の直列共鳴コンデンサ放電システム。
【請求項１７】
前記第１の切換装置は機械的スイッチである、請求項12に記載の直列共鳴コンデンサ放電システム。
【請求項１８】
前記モーター軸はモーター軸ギアを含み、前記機械的スイッチはスイッチギアを含み、前記スイッチギアは前記回転運動中に前記モーター軸ギアにより駆動されて前記機械的スイッチの回転運動を生成する、請求項17に記載の直列共鳴コンデンサ放電システム。
【請求項１９】
前記第1の切換装置はソリッドステートの切換装置である、請求項18に記載の直列共鳴コンデンサ放電システム。
【請求項２０】
前記ソリッドステートの切換装置はシリコン制御された整流装置を含む、請求項19に記載の直列共鳴コンデンサ放電システム。